(57)【要約】      （修正有）【課題】効果的に塗料のスプレー効果の質を向上し、塗料スプレー気流と霧化気流の噴出が均一である塗装用スプレーガンを提供する。【解決手段】分流キャップは、内層キャップ２１と外層キャップ２２が重なることで形成される。内層キャップ２１および外層キャップ２２は、先端収納層の内径と一致している外径を有し、中心にトリガーの前端のノズルを嵌めこみ可能な貫通孔が形成されている。内層キャップ２１は、内壁面に、塗料スプレー孔を覆う隔離リングが設置されており、隔離リングの内径範囲内に所定個数の非貫通式の案内孔２１４が形成されている。外層キャップ２２は、内壁に、二重の隔離リングが設置されており、隔離リングの環状槽内に所定個数の空気案内孔２２５が形成されており、空気案内孔２２５の位置と内層キャップ２１の案内孔２１４の出口の位置とが互いにずれることで、非直通式の塗料スプレー気流の流路が形成されている。【選択図】図２
2015112569.tif 000002
【特許請求の範囲】
【請求項１】
内部に導引気流及び分流の流路が形成されており、先端収納層を有するスプレーガン本体と、
前記スプレーガン本体の柄部の下端に設置されており、コンプレッサ設備に接続されているエアニップルと、
エアニップルに設置されており、空気の進入量を調節するエア量調節部材と、
前記スプレーガン本体の柄部の上端の胴体部分に設置されており、前記スプレーガン本体の胴体部分に貫通可能に設置されているトリガーをコントロールし、前端のノズルの開閉を制御するグリップと、
前記スプレーガン本体の胴体部分の後端に設けられており、圧縮制御の力加減と開閉の幅を調節する調節部材と、
前記スプレーガン本体の胴体部分の後端または方側に設置されている分流量調節部材と、
前記先端収納層内に設置された分流キャップと、
中心に形成されている出風口、および、両側に突出して設置された翼部の側面に形成されているスプレー孔を有するノズルキャップと、を備え、
前記スプレーガン本体のメインの流路とサブの流路によって、案内された塗料スプレー気流と霧化気流の分流量を調節することによって、前記先端収納層の塗料スプレー孔と霧化用空気孔から噴き出された風量を調節し、前記分流キャップの仕切り作用により、前記ノズルキャップの前記出風口および前記スプレー孔からそれぞれ気流が噴き出されることで、霧化スプレーの操作制御機能を有する塗装用スプレーガンであって、
前記分流キャップは、内層キャップと外層キャップが重なることで形成されており、
前記内層キャップおよび前記外層キャップは、前記先端収納層の内径と一致している外径を有し、中心に前記トリガーの前端のノズルを嵌めこみ可能な貫通孔が形成されて、
前記内層キャップは、内壁面に、前記塗料スプレー孔を覆う第一隔離リングが設置されており、前記第一隔離リングの内径範囲内に所定個数の非貫通式の案内孔が形成されており、
前記外層キャップは、内壁に、二重の第二隔離リングが設置されており、前記第二隔離リングの環状槽内に所定個数の空気案内孔が形成されており、前記空気案内孔の位置と前記内層キャップの前記案内孔の出口の位置とが互いにずれることで、非直通式の塗料スプレー気流の流路が形成されており、
前記内層キャップおよび前記外層キャップは、外周縁に環状槽が形成されており、
前記内層キャップの環状槽は、内側の板周縁に、間隔をおいて所定個数の空気進入用切り込みが形成されており、外側の板底部に、前記空気進入用切り込みと位置がずれている、所定個数の空気排出用孔が形成されており、
前記外層キャップの環状槽は、内側の周縁に、間隔をおいて所定個数の空気進入用切り込みが形成されており、外側の板に、前記空気進入用切り込みと位置がずれている、所定個数の空気排出用孔が形成されており、非直通式の霧化気流の流路が形成され、塗料スプレー気流と霧化気流の非直通式の気流案内流路が形成されることで、塗料スプレー気流と霧化気流が前記先端収納層内に設置された前記分流キャップを通過する時、迂迴する形式で流通し、停留時間が延長し、分流均圧効果により、塗装スプレーを均一にすることを特徴とする塗装用スプレーガン。
【請求項２】
前記内層キャップは、前記第一隔離リングの内側に空気案内孔が設置されており、
前記空気案内孔の入り口と出口とは、位置がずれており、非直通式の導通型態を有することを特徴とする請求項１に記載の塗装用スプレーガン。
【発明の詳細な説明】
【技術分野】
【０００１】
本発明は、塗装用スプレーガンに関する。
【背景技術】
【０００２】
従来の塗装用スプレーガンは、主に、握りやすくするためのスプレーガン本体を有する。スプレーガン本体の柄部の下端には、エアニップルが設置されて、コンプレッサ設備に接続される。さらに、その傍らに調節部材が設置されており、空気の進入量を調節する。柄部の上端の胴体部分に設置されているグリップによってスプレーガン本体の胴体部分に設置されているトリガーをコントロールして、前端のノズルの開閉を制御する。さらに、スプレーガン本体の胴体部分の後端の調節部材によって、その圧縮制御の力加減と開閉の幅を調節する。また、スプレーガン本体胴体部分後端または片側に分流量調節部材が設置されており、前端ノズルキャップの空気排出量を調節することによって、スプレー時の霧化の程度を調節する。この構成により、このタイプの塗装用スプレーガンの基本機能構造が形成される。グリップに対する力加減により、トリガーをコントロールしてノズルキャップの開閉を行なう。内部気流の流路が組み合せて、コンプレッサ設備により提供される空気がノズルから噴出され、空気排出時に塗料缶の塗料が共に吸引されて噴出する。ノズルキャップ両側の突出した翼部の側向の噴出された空気と共に塗料が均一に霧化され工作物にスプレーされる。同時に、工作物及び作業環境等の必要性に応じて、調節部材を介してノズルキャップの側向の噴気量を調節することにより、スプレー時の霧化効果を調節および変更して、スプレー塗装時の作業品質を向上する。
【０００３】
塗装用スプレーガンの先端の収納槽内に、塗料スプレー孔及び霧化用空気孔が設置されている。スプレーガン先端の収納槽内には、分流キャップが設置され、前述の塗料スプレー孔と霧化用空気孔を仕切って独立させる。さらに、分流キャップ上に二組の独立した空気導入流路が設置されることで、塗料スプレー孔から吸引されて送られる塗料スプレー気流が分流キャップの内側領域の空気導入の流路を経て案内されて、ノズルキャップ中心の空気孔から噴出する。同時に、漆料の噴出を案内して塗料をスプレーする機能を達成する。霧化用空気孔に導引されて送られた霧化気流は、分流キャップの外側領域の空気導入流路を経て導入され、ノズルキャップ両側の突出した翼部のスプレー孔から噴出し、塗料がまとまってスプレーされ、霧化される効果を有する。
【０００４】
しかしながら、前述の分流キャップの作用は、主に、塗料スプレー孔から噴出される塗料スプレー気流と霧化用空気孔から噴き出される霧化気流を仕切ることで、互いに干渉せずに流路から案内されて、塗料の吹き出しと霧化の機能を達成する。このため、その空気導入の流路は直接貫通する方式で設置される。このように、塗料スプレー気流と霧化気流が属する空気孔から噴出される時、直接分流キャップの空気導入流路を通過して、空気孔とスプレー孔から噴出される。しかしながら、均圧の設計がなされていない上、スプレーガンによって案内され送られた空気の圧力が一定でないため、出風が強かったり弱かったりするという現象が生じる。よって、スプレー量や霧化気流の安定性に影響して、塗装効果が均一ではない現象を招き、塗装の質が安定しないという問題が生じる。
【先行技術文献】
【特許文献】
【０００５】
【特許文献１】特開平０５−２３７４２０号公報
【発明の概要】
【発明が解決しようとする課題】
【０００６】
本発明は、上記の問題に鑑みてなされたものであり、その目的は、効果的に塗料のスプレー効果の質を向上し、塗料スプレー気流と霧化気流の噴出が均一である塗装用スプレーガンを提供することにある。
【課題を解決するための手段】
【０００７】
上記目的を達成するために、本発明の塗装用スプレーガンは、分流キャップは、内層キャップと外層キャップが重なることで形成される。内層キャップおよび外層キャップは、先端収納層の内径と一致している外径を有し、中心にトリガーの前端のノズルを嵌めこみ可能な貫通孔が形成されている。内層キャップは、内壁面に、塗料スプレー孔を覆う隔離リングが設置されており、隔離リングの内径範囲内に所定個数の非貫通式の案内孔が形成されている。外層キャップは、内壁に、二重の隔離リングが設置されており、隔離リングの環状槽内に所定個数の空気案内孔が形成されており、空気案内孔の位置と内層キャップの案内孔の出口の位置とが互いにずれることで、非直通式の塗料スプレー気流の流路が形成されている。内層キャップおよび外層キャップは、外周縁に気流環状槽が形成されている。内層キャップの気流環状槽は、内側の板周縁に、間隔をおいて所定個数の空気進入用切り込みが形成されており、外側の板底部に、空気進入用切り込みと位置がずれている、所定個数の空気排出用孔が形成されている。外層キャップの気流環状槽は、内側の周縁に、間隔をおいて所定個数の空気進入用切り込みが形成されており、外側の板に、空気進入用切り込みと位置がずれている、所定個数の空気排出用孔が形成されており、非直通式の霧化気流の流路が形成され、塗料スプレー気流と霧化気流の非直通式の気流案内流路が形成されることで、塗料スプレー気流と霧化気流が先端収納層内に設置された前記分流キャップを通過する時、迂迴する形式で流通し、停留時間が延長し、分流均圧効果により、塗装スプレーを均一にする。
【０００８】
このように、本発明の塗装用スプレーガンは、内層キャップと外層キャップの気流導引構造を有することで、塗装用スプレーガンの塗料スプレー気流と霧化気流が迂迴して流通し、均一な出風効果を達成することにより、塗料スプレーの質を高めることが出来る。
本発明は、分流キャップ構造を有することで、塗装用スプレーガンの塗料スプレー気流及び霧化気流が迂迴して分流キャップを通過し、その停留時間を延長させ、均圧噴出効果を得て、その塗料のスプレーを均一にすることができる。
【図面の簡単な説明】
【０００９】
【図１】本発明の一実施形態による塗装用スプレーガンを示す分解斜視図である。
【図２】本発明の一実施形態による塗装用スプレーガンの要部を示す分解斜視図である。
【図３】本発明の一実施形態による塗装用スプレーガンの要部を示す分解斜視図である。
【図４】本発明の一実施形態による塗装用スプレーガンの要部を示す斜視図である。
【図５】本発明の一実施形態による塗装用スプレーガンの要部を示す断面図である。
【発明を実施するための形態】
【００１０】
（一実施形態）
図を参照しながら、本発明の一実施形態による塗装用スプレーガンの構造について説明する。
図１は部分構造分解図であり、図２、図３は構造を示した図であり、図４、図５は構造関係を示した図である。本実施形態の塗装用スプレーガンは、手で握りやすくするための本体１０を有する。本体１０の柄の部分下端にはエアニップル１１が設置されて、コンプレッサ設備に接続される。さらに、その傍らにエア量調節部材１２が設置されて、その空気の進入量を調節する。柄部分上端の胴体部分に設置されたグリップ１３によって本体１０の胴体部分に貫通設置されたトリガー１４をコントロールして、前端のノズル１５の開閉を制御する。
【００１１】
さらに、本体１０の胴体部分後端の調節部材１６によって、その圧縮制御の力加減と開閉の幅を調節する。また、本体１０胴体部分後端または一側に別に分流量調節部材１７が設置されて、体１０のメインの流路（図示されない）とサブの流路（図示されない）によって導引して送られた塗料スプレー気流と霧化気流の分流量を調節することによって、その先端収納層１８の塗料スプレー孔１８１と霧化用空気孔１８２から噴き出された風量を調節して変化させ、さらに、先端収納層１８内に設置された分流キャップ２０の仕切り導流作用を介して、ノズルキャップ１９中心の出風口１９１と両側に突出して設置された翼部１９２の側面方向のスプレー孔１９３からそれぞれ気流が噴き出されることで、その霧化スプレーの操作制御機能を達成することにより、本発明の塗装用スプレーガンの基本機能構造を構成する。  
【００１２】
このうち、分流キャップ２０は、内層キャップ２１と外層キャップ２２が重なって成型される。内層キャップ２１と外層キャップ２２の外径は先端収納層１８の内径と合致する。且つ、内、外層キャップ２１、２２の中心にそれぞれ貫通孔２１１、２２１が設置されて、トリガー１４前端のノズル１５がはめ込まれる。内層キャップ２１内側面には塗料スプレー孔１８１を覆う仕切りリング２１２が設置される。一側の位置には突出して突出柱２１３が設置されて、先端収納層１８に設置された位置固定孔１８３に挿入される。内層キャップ２１が先端収納層１８にはめ込まれて、突出柱２１３が位置固定孔１８３に挿入される時、前述の仕切りリング２１２によって塗料スプレー孔１８１と霧化用空気孔１８２を仕切って隔絶する。仕切りリング２１２の内径範囲内に、所定の個数の案内孔２１４が設置される。且つ、案内孔２１４の入口１と出口２が、直貫式ではなく、位置がずれた形態で導通し、内層キャップ２１の外周縁には環状槽２１５が設置される。環状槽２１５の内側板周縁に、間隔をおいて所定の個数の空気進入用切り込み２１６が設置され、環状槽２１５の外側板底部に空気進入用切り込み２１６と位置がずれて、所定の個数の空気排出用孔２１７が設置される。また、内層キャップ２１の外側面には位置固定孔２１８が設置されて、外層キャップ２２内側面の突出柱２２２が挿入されて固定されることで、しっかりと位置が固定される。外層キャップ２２の内側面には一対の隔離リング２２３が二個設置される。隔離リング２２３の環状槽２２４内に、所定の個数の空気案内孔２２５が設置され、且つ、外層キャップ２２が内層キャップ２１外部に重ねられる時、空気案内孔２２５は内層キャップ２１の案内孔２１４の出口２と位置がずれる関係にある。外層キャップ２２の外周縁もまた環状槽２２６を有する。環状槽２２６の内側板周縁は、間隔をおいて所定の個数の空気進入用切り込み２２７が設置される。空気案内孔２２５の外側板は空気進入用切り込み２２７とずれた位置に所定の個数の空気排出用孔２２８が設置される。これにより、内、外層キャップ２１、２２の案内孔２１４と空気案内孔２２５、及び空気進入用切り込み２１６、空気排出用孔２１６、空気進入用切り込み２２７と空気排出用孔２２８が、それぞれ構成する塗料スプレー気流と霧化気流の非直貫式の位置がずれた型態による導気の流路があることで、塗装用スプレーガンの塗料スプレー気流と霧化気流が先端収納層１８内に設置された分流キャップ２０を通過する時、迂迴する型態で流通して、その停留時間が延長して、分流均圧効果を形成することにより、その出風が均一になって、出風が強くなったり弱くなったりする現象の発生を回避する。
【００１３】
上述の内層キャップ２１と外層キャップ２２が重なって組成される分流キャップ２０は、その外径とスプレーガン先端収納層１８の内径がピッタリ合致する関係であることにより、気流は分流キャップ２０に設置された導入気流の流路からしか流通しない。すなわち、塗料スプレー気流は、先端収納層１８の塗料スプレー孔１８１から導入排出された後、内層キャップ２１の仕切りリング２１２によって仕切られることで、内側の仕切りリング２１２の入口１から、位置がずれた出口２を経て、さらに、外層キャップ２２の空気案内孔２２５を流通し、最後に、ノズルキャップ１９の出風口１９１とノズル１５間の隙間から外に噴出される。気流のサイフォン作用も伴って、塗料をノズル１５から噴出させて、所定の塗料スプレー効果を達成する。霧化気流は、先端収納層１８の霧化用空気孔１８２から導入排出された後、仕切りリング２１２の仕切りを受けて、内層キャップ２１の環状槽２１５内側板の空気進入用切り込み２１６から導入され、さらに、環状槽２１５外側片の空気排出用孔２１７から外層キャップ２２に導かれた後、外層キャップ２２の環状槽２２６内側板の空気進入用切り込み２２７から導入され、さらに、環状槽２２６の空気排出用孔２２８から導入排出され、最後にノズルキャップ１９両側翼部１９２のスプレー孔１９３から噴出されることで、塗料を霧化してスプレーする機能を達成する。そのスプレー気流と霧化気流が導引噴出の過程において、分流キャップ２０の内、外層キャップ２１、２２に制限されて迂迴する型態の空気導引の流路を有することで、気流が直接通過して噴出することがなく、迂迴して流通する過程中、均圧の効果を発生させるため、その空気排出の安定性を維持して、均一の出風効果を達成して、効果的にその塗料スプレーの質を高める。
【００１４】
このように、本発明の塗装用スプレーガンの均圧分流キャップ構造は、塗装用スプレーガンのスプレー作業を均一、安定させることで、その塗料スプレーの質を高める。特に、その先端収納槽内に、塗料スプレー気流と霧化気流を仕切る分流キャップの構造を有することで、分流の目的を達成する外、その流通の過程が迂迴して流通することにより均圧効果を達成する。したがって、従来の構造に存在した気流噴出時に容易に強くなったり、弱くなったりする問題を解決して、その塗料スプレーの霧化効果が均一になり、スプレー塗装の質が大幅に向上して、それを維持することが可能である。したがって、産業上の利用価値及び実用性が極めて高い。
【符号の説明】
【００１５】
１      入り口、
２      出口、
１０      本体、  
１１      エアニップル、
１２      エア量調節部材、  
１３      グリップ、
１４      トリガー、        
１５      ノズル、
１６      調節部材、    
１７      分流量調節部材、
１８      先端収納層、  
１８１      塗料スプレー孔、
１８２      霧化用空気孔、
１８３      位置固定孔、
１９      ノズルキャップ、        
１９１      空気孔、
１９２      翼部、      
１９３      スプレー孔、
２０      分流キャップ、
２１      内層キャップ、
２１１      貫通孔、
２１２      仕切りリング、
２１３      突出柱、
２１４      案内孔、
２１５      環状槽、
２１６      空気進入用切り込み、
２１７      空気排出用孔、
２１８      位置固定孔、
２２      外層キャップ、
２２１      貫通孔、
２２２      突出柱、
２２３      隔離リング、
２２４      環状槽、
２２５      空気案内孔、
２２６      環状槽、
２２７      空気進入用切り込み、
２２８      空気排出用孔。
【図１】
2015112569.tif 000003
【図２】
2015112569.tif 000004
【図３】
2015112569.tif 000005
【図４】
2015112569.tif 000006
【図５】
2015112569.tif 000007
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
内部に導引気流及び分流の流路が形成されており、先端収納槽を有するスプレーガン本体と、
前記スプレーガン本体の柄部の下端に設置されており、コンプレッサ設備に接続されているエアニップルと、
エアニップルに設置されており、空気の進入量を調節するエア量調節部材と、
前記スプレーガン本体の柄部の上端の胴体部分に設置されており、前記スプレーガン本体の胴体部分に貫通可能に設置されているトリガーをコントロールし、前端のノズルの開閉を制御するグリップと、
前記スプレーガン本体の胴体部分の後端に設けられており、圧縮制御の力加減と開閉の幅を調節する調節部材と、
前記スプレーガン本体の胴体部分の後端または側方に設置されている分流量調節部材と、
前記先端収納槽内に設置された分流キャップと、
中心に形成されている出風口、および、両側に突出して設置された翼部の側面に形成されているスプレー孔を有するノズルキャップと、を備え、
前記スプレーガン本体のメインの流路とサブの流路によって、案内された塗料スプレー気流と霧化気流の分流量を調節することによって、前記先端収納槽の塗料スプレー孔と霧化用空気孔から噴き出された風量を調節し、前記分流キャップの仕切り作用により、前記ノズルキャップの前記出風口および前記スプレー孔からそれぞれ気流が噴き出されることで、霧化スプレーの操作制御機能を有する塗装用スプレーガンであって、
前記分流キャップは、内層キャップと外層キャップが重なることで形成されており、
前記内層キャップおよび前記外層キャップは、前記先端収納槽の内径と一致している外径を有し、中心に前記トリガーの前端のノズルを嵌めこみ可能な貫通孔が形成されて、
前記内層キャップは、内壁面に、前記塗料スプレー孔を覆う第一隔離リングが設置されており、前記第一隔離リングの内径範囲内に所定個数の非直通式の案内孔が形成されており、
前記外層キャップは、内壁に、二重の第二隔離リングが設置されており、前記第二隔離リングの環状槽内に所定個数の空気案内孔が形成されており、前記空気案内孔の位置と前記内層キャップの前記案内孔の出口の位置とが互いにずれることで、非直通式の塗料スプレー気流の流路が形成されており、
前記内層キャップおよび前記外層キャップは、外周縁に環状槽が形成されており、
前記内層キャップの環状槽は、内側の板周縁に、間隔をおいて所定個数の空気進入用切り込みが形成されており、外側の板底部に、前記空気進入用切り込みと位置がずれている、所定個数の空気排出用孔が形成されており、
前記外層キャップの環状槽は、内側の板周縁に、間隔をおいて所定個数の空気進入用切り込みが形成されており、外側の板に、前記空気進入用切り込みと位置がずれている、所定個数の空気排出用孔が形成されており、非直通式の霧化気流の流路が形成され、塗料スプレー気流と霧化気流の非直通式の気流案内流路が形成されることで、塗料スプレー気流と霧化気流が前記先端収納槽内に設置された前記分流キャップを通過する時、迂回する形式で流通し、停留時間が延長し、分流均圧効果により、塗装スプレーを均一にすることを特徴とする塗装用スプレーガン。
【請求項２】
前記内層キャップは、前記第一隔離リングの内側に空気案内孔が設置されており、
前記空気案内孔の入り口と出口とは、位置がずれており、非直通式の導通型態を有することを特徴とする請求項１に記載の塗装用スプレーガン。
【手続補正２】
【補正対象書類名】明細書
【補正対象項目名】全文
【補正方法】変更
【補正の内容】
【発明の詳細な説明】
【技術分野】
【０００１】
本発明は、塗装用スプレーガンに関する。
【背景技術】
【０００２】
従来の塗装用スプレーガンは、主に、握りやすくするためのスプレーガン本体を有する。スプレーガン本体の柄部の下端には、エアニップルが設置されて、コンプレッサ設備に接続される。さらに、その傍らに調節部材が設置されており、空気の進入量を調節する。柄部の上端の胴体部分に設置されているグリップによってスプレーガン本体の胴体部分に設置されているトリガーをコントロールして、前端のノズルの開閉を制御する。さらに、スプレーガン本体の胴体部分の後端の調節部材によって、その圧縮制御の力加減と開閉の幅を調節する。また、スプレーガン本体胴体部分後端または片側に分流量調節部材が設置されており、前端ノズルキャップの空気排出量を調節することによって、スプレー時の霧化の程度を調節する。この構成により、このタイプの塗装用スプレーガンの基本機能構造が形成される。グリップに対する力加減により、トリガーをコントロールしてノズルキャップの開閉を行なう。内部気流の流路が組み合せて、コンプレッサ設備により提供される空気がノズルから噴出され、空気排出時に塗料缶の塗料が共に吸引されて噴出する。ノズルキャップ両側の突出した翼部の側向の噴出された空気と共に塗料が均一に霧化され工作物にスプレーされる。同時に、工作物及び作業環境等の必要性に応じて、調節部材を介してノズルキャップの側向の噴気量を調節することにより、スプレー時の霧化効果を調節および変更して、スプレー塗装時の作業品質を向上する。
【０００３】
塗装用スプレーガンの先端の収納槽内に、塗料スプレー孔及び霧化用空気孔が設置されている。スプレーガン先端の収納槽内には、分流キャップが設置され、前述の塗料スプレー孔と霧化用空気孔を仕切って独立させる。さらに、分流キャップ上に二組の独立した空気導入流路が設置されることで、塗料スプレー孔から吸引されて送られる塗料スプレー気流が分流キャップの内側領域の空気導入の流路を経て案内されて、ノズルキャップ中心の空気孔から噴出する。同時に、漆料の噴出を案内して塗料をスプレーする機能を達成する。霧化用空気孔に導引されて送られた霧化気流は、分流キャップの外側領域の空気導入流路を経て導入され、ノズルキャップ両側の突出した翼部のスプレー孔から噴出し、塗料がまとまってスプレーされ、霧化される効果を有する。
【０００４】
しかしながら、前述の分流キャップの作用は、主に、塗料スプレー孔から噴出される塗料スプレー気流と霧化用空気孔から噴き出される霧化気流を仕切ることで、互いに干渉せずに流路から案内されて、塗料の吹き出しと霧化の機能を達成する。このため、その空気導入の流路は直接貫通する方式で設置される。このように、塗料スプレー気流と霧化気流が属する空気孔から噴出される時、直接分流キャップの空気導入流路を通過して、空気孔とスプレー孔から噴出される。しかしながら、均圧の設計がなされていない上、スプレーガンによって案内され送られた空気の圧力が一定でないため、出風が強かったり弱かったりするという現象が生じる。よって、スプレー量や霧化気流の安定性に影響して、塗装効果が均一ではない現象を招き、塗装の質が安定しないという問題が生じる。
【先行技術文献】
【特許文献】
【０００５】
【特許文献１】特開平０５−２３７４２０号公報
【発明の概要】
【発明が解決しようとする課題】
【０００６】
本発明は、上記の問題に鑑みてなされたものであり、その目的は、効果的に塗料のスプレー効果の質を向上し、塗料スプレー気流と霧化気流の噴出が均一である塗装用スプレーガンを提供することにある。
【課題を解決するための手段】
【０００７】
上記目的を達成するために、本発明の塗装用スプレーガンは、分流キャップは、内層キャップと外層キャップが重なることで形成される。内層キャップおよび外層キャップは、先端収納槽の内径と一致している外径を有し、中心にトリガーの前端のノズルを嵌めこみ可能な貫通孔が形成されている。内層キャップは、内壁面に、塗料スプレー孔を覆う隔離リングが設置されており、隔離リングの内径範囲内に所定個数の非直通式の案内孔が形成されている。外層キャップは、内壁に、二重の隔離リングが設置されており、隔離リングの環状槽内に所定個数の空気案内孔が形成されており、空気案内孔の位置と内層キャップの案内孔の出口の位置とが互いにずれることで、非直通式の塗料スプレー気流の流路が形成されている。内層キャップおよび外層キャップは、外周縁に気流環状槽が形成されている。内層キャップの気流環状槽は、内側の板周縁に、間隔をおいて所定個数の空気進入用切り込みが形成されており、外側の板底部に、空気進入用切り込みと位置がずれている、所定個数の空気排出用孔が形成されている。外層キャップの気流環状槽は、内側の板周縁に、間隔をおいて所定個数の空気進入用切り込みが形成されており、外側の板に、空気進入用切り込みと位置がずれている、所定個数の空気排出用孔が形成されており、非直通式の霧化気流の流路が形成され、塗料スプレー気流と霧化気流の非直通式の気流案内流路が形成されることで、塗料スプレー気流と霧化気流が先端収納槽内に設置された前記分流キャップを通過する時、迂迴する形式で流通し、停留時間が延長し、分流均圧効果により、塗装スプレーを均一にする。
【０００８】
このように、本発明の塗装用スプレーガンは、内層キャップと外層キャップの気流導引構造を有することで、塗装用スプレーガンの塗料スプレー気流と霧化気流が迂迴して流通し、均一な出風効果を達成することにより、塗料スプレーの質を高めることが出来る。
本発明は、分流キャップ構造を有することで、塗装用スプレーガンの塗料スプレー気流及び霧化気流が迂迴して分流キャップを通過し、その停留時間を延長させ、均圧噴出効果を得て、その塗料のスプレーを均一にすることができる。
【図面の簡単な説明】
【０００９】
【図１】本発明の一実施形態による塗装用スプレーガンを示す分解斜視図である。
【図２】本発明の一実施形態による塗装用スプレーガンの要部を示す分解斜視図である。
【図３】本発明の一実施形態による塗装用スプレーガンの要部を示す分解斜視図である。
【図４】本発明の一実施形態による塗装用スプレーガンの要部を示す斜視図である。
【図５】本発明の一実施形態による塗装用スプレーガンの要部を示す断面図である。
【発明を実施するための形態】
【００１０】
（一実施形態）
図を参照しながら、本発明の一実施形態による塗装用スプレーガンの構造について説明する。
図１は部分構造分解図であり、図２、図３は構造を示した図であり、図４、図５は構造関係を示した図である。本実施形態の塗装用スプレーガンは、手で握りやすくするための本体１０を有する。本体１０の柄の部分下端にはエアニップル１１が設置されて、コンプレッサ設備に接続される。さらに、その傍らにエア量調節部材１２が設置されて、その空気の進入量を調節する。柄部分上端の胴体部分に設置されたグリップ１３によって本体１０の胴体部分に貫通設置されたトリガー１４をコントロールして、前端のノズル１５の開閉を制御する。
【００１１】
さらに、本体１０の胴体部分後端の調節部材１６によって、その圧縮制御の力加減と開閉の幅を調節する。また、本体１０胴体部分後端または一側に別に分流量調節部材１７が設置されて、体１０のメインの流路（図示されない）とサブの流路（図示されない）によって導引して送られた塗料スプレー気流と霧化気流の分流量を調節することによって、その先端収納槽１８の塗料スプレー孔１８１と霧化用空気孔１８２から噴き出された風量を調節して変化させ、さらに、先端収納槽１８内に設置された分流キャップ２０の仕切り導流作用を介して、ノズルキャップ１９中心の出風口１９１と両側に突出して設置された翼部１９２の側面方向のスプレー孔１９３からそれぞれ気流が噴き出されることで、その霧化スプレーの操作制御機能を達成することにより、本発明の塗装用スプレーガンの基本機能構造を構成する。  
【００１２】
このうち、分流キャップ２０は、内層キャップ２１と外層キャップ２２が重なって成型される。内層キャップ２１と外層キャップ２２の外径は先端収納槽１８の内径と合致する。且つ、内、外層キャップ２１、２２の中心にそれぞれ貫通孔２１１、２２１が設置されて、トリガー１４前端のノズル１５がはめ込まれる。内層キャップ２１内側面には塗料スプレー孔１８１を覆う仕切りリング２１２が設置される。一側の位置には突出して突出柱２１３が設置されて、先端収納槽１８に設置された位置固定孔１８３に挿入される。内層キャップ２１が先端収納槽１８にはめ込まれて、突出柱２１３が位置固定孔１８３に挿入される時、前述の仕切りリング２１２によって塗料スプレー孔１８１と霧化用空気孔１８２を仕切って隔絶する。仕切りリング２１２の内径範囲内に、所定の個数の案内孔２１４が設置される。且つ、案内孔２１４の入口１と出口２が、直貫式ではなく、位置がずれた形態で導通し、内層キャップ２１の外周縁には環状槽２１５が設置される。環状槽２１５の内側板周縁に、間隔をおいて所定の個数の空気進入用切り込み２１６が設置され、環状槽２１５の外側板底部に空気進入用切り込み２１６と位置がずれて、所定の個数の空気排出用孔２１７が設置される。また、内層キャップ２１の外側面には位置固定孔２１８が設置されて、外層キャップ２２内側面の突出柱２２２が挿入されて固定されることで、しっかりと位置が固定される。外層キャップ２２の内側面には一対の隔離リング２２３が二個設置される。隔離リング２２３の環状槽２２４内に、所定の個数の空気案内孔２２５が設置され、且つ、外層キャップ２２が内層キャップ２１外部に重ねられる時、空気案内孔２２５は内層キャップ２１の案内孔２１４の出口２と位置がずれる関係にある。外層キャップ２２の外周縁もまた環状槽２２６を有する。環状槽２２６の内側板周縁は、間隔をおいて所定の個数の空気進入用切り込み２２７が設置される。空気案内孔２２５の外側板は空気進入用切り込み２２７とずれた位置に所定の個数の空気排出用孔２２８が設置される。これにより、内、外層キャップ２１、２２の案内孔２１４と空気案内孔２２５、及び空気進入用切り込み２１６、空気排出用孔２１６、空気進入用切り込み２２７と空気排出用孔２２８が、それぞれ構成する塗料スプレー気流と霧化気流の非直貫式の位置がずれた型態による導気の流路があることで、塗装用スプレーガンの塗料スプレー気流と霧化気流が先端収納槽１８内に設置された分流キャップ２０を通過する時、迂迴する型態で流通して、その停留時間が延長して、分流均圧効果を形成することにより、その出風が均一になって、出風が強くなったり弱くなったりする現象の発生を回避する。
【００１３】
上述の内層キャップ２１と外層キャップ２２が重なって組成される分流キャップ２０は、その外径とスプレーガン先端収納槽１８の内径がピッタリ合致する関係であることにより、気流は分流キャップ２０に設置された導入気流の流路からしか流通しない。すなわち、塗料スプレー気流は、先端収納槽１８の塗料スプレー孔１８１から導入排出された後、内層キャップ２１の仕切りリング２１２によって仕切られることで、内側の仕切りリング２１２の入口１から、位置がずれた出口２を経て、さらに、外層キャップ２２の空気案内孔２２５を流通し、最後に、ノズルキャップ１９の出風口１９１とノズル１５間の隙間から外に噴出される。気流のサイフォン作用も伴って、塗料をノズル１５から噴出させて、所定の塗料スプレー効果を達成する。霧化気流は、先端収納槽１８の霧化用空気孔１８２から導入排出された後、仕切りリング２１２の仕切りを受けて、内層キャップ２１の環状槽２１５内側板の空気進入用切り込み２１６から導入され、さらに、環状槽２１５外側片の空気排出用孔２１７から外層キャップ２２に導かれた後、外層キャップ２２の環状槽２２６内側板の空気進入用切り込み２２７から導入され、さらに、環状槽２２６の空気排出用孔２２８から導入排出され、最後にノズルキャップ１９両側翼部１９２のスプレー孔１９３から噴出されることで、塗料を霧化してスプレーする機能を達成する。そのスプレー気流と霧化気流が導引噴出の過程において、分流キャップ２０の内、外層キャップ２１、２２に制限されて迂迴する型態の空気導引の流路を有することで、気流が直接通過して噴出することがなく、迂迴して流通する過程中、均圧の効果を発生させるため、その空気排出の安定性を維持して、均一の出風効果を達成して、効果的にその塗料スプレーの質を高める。
【００１４】
このように、本発明の塗装用スプレーガンの均圧分流キャップ構造は、塗装用スプレーガンのスプレー作業を均一、安定させることで、その塗料スプレーの質を高める。特に、その先端収納槽内に、塗料スプレー気流と霧化気流を仕切る分流キャップの構造を有することで、分流の目的を達成する外、その流通の過程が迂迴して流通することにより均圧効果を達成する。したがって、従来の構造に存在した気流噴出時に容易に強くなったり、弱くなったりする問題を解決して、その塗料スプレーの霧化効果が均一になり、スプレー塗装の質が大幅に向上して、それを維持することが可能である。したがって、産業上の利用価値及び実用性が極めて高い。
【符号の説明】
【００１５】
１      入り口、
２      出口、
１０      本体、
１１      エアニップル、
１２      エア量調節部材、
１３      グリップ、
１４      トリガー、
１５      ノズル、
１６      調節部材、
１７      分流量調節部材、
１８      先端収納槽、
１８１      塗料スプレー孔、
１８２      霧化用空気孔、
１８３      位置固定孔、
１９      ノズルキャップ、
１９１      空気孔、
１９２      翼部、
１９３      スプレー孔、
２０      分流キャップ、
２１      内層キャップ、
２１１      貫通孔、
２１２      仕切りリング、
２１３      突出柱、
２１４      案内孔、
２１５      環状槽、
２１６      空気進入用切り込み、
２１７      空気排出用孔、
２１８      位置固定孔、
２２      外層キャップ、
２２１      貫通孔、
２２２      突出柱、
２２３      隔離リング、
２２４      環状槽、
２２５      空気案内孔、
２２６      環状槽、
２２７      空気進入用切り込み、
２２８      空気排出用孔。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
内部に導引気流及び分流の流路が形成されており、先端収納槽を有するスプレーガン本体と、
前記スプレーガン本体の柄部の下端に設置されており、コンプレッサ設備に接続されているエアニップルと、
エアニップルに設置されており、空気の進入量を調節するエア量調節部材と、
前記スプレーガン本体の柄部の上端の胴体部分に設置されており、前記スプレーガン本体の胴体部分に貫通可能に設置されているトリガーをコントロールし、前端のノズルの開閉を制御するグリップと、
前記スプレーガン本体の胴体部分の後端に設けられており、圧縮制御の力加減と開閉の幅を調節する調節部材と、
前記スプレーガン本体の胴体部分の後端または側方に設置されている分流量調節部材と、
前記先端収納槽内に設置された分流キャップと、
中心に形成されている出風口、および、両側に突出して設置された翼部の側面に形成されているスプレー孔を有するノズルキャップと、を備え、
前記スプレーガン本体のメインの流路とサブの流路によって、案内された塗料スプレー気流と霧化気流の分流量を調節することによって、前記先端収納槽の塗料スプレー孔と霧化用空気孔から噴き出された風量を調節し、前記分流キャップの仕切り作用により、前記ノズルキャップの前記出風口および前記スプレー孔からそれぞれ気流が噴き出されることで、霧化スプレーの操作制御機能を有する塗装用スプレーガンであって、
前記分流キャップは、内層キャップと外層キャップが重なることで形成されており、
前記内層キャップおよび前記外層キャップは、前記先端収納槽の内径と一致している外径を有し、中心に前記トリガーの前端のノズルを嵌めこみ可能な貫通孔が形成されて、
前記内層キャップは、内壁面に、前記塗料スプレー孔を覆う第一隔離リングが設置されており、前記第一隔離リングの内径範囲内に所定個数の非直通式の案内孔が形成されており、
前記外層キャップは、内壁に、二重の第二隔離リングが設置されており、前記第二隔離リングの環状槽内に所定個数の空気案内孔が形成されており、前記空気案内孔の位置と前記内層キャップの前記案内孔の出口の位置とが互いにずれることで、非直通式の塗料スプレー気流の流路が形成されており、
前記内層キャップおよび前記外層キャップは、外周縁に環状槽が形成されており、
前記内層キャップの環状槽は、内側の板周縁に、間隔をおいて所定個数の空気進入用切り込みが形成されており、外側の板底部に、前記空気進入用切り込みと位置がずれている、所定個数の空気排出用孔が形成されており、
前記外層キャップの環状槽は、内側の板周縁に、間隔をおいて所定個数の空気進入用切り込みが形成されており、外側の板に、前記空気進入用切り込みと位置がずれている、所定個数の空気排出用孔が形成されており、非直通式の霧化気流の流路が形成され、塗料スプレー気流と霧化気流の非直通式の気流案内流路が形成されることで、塗料スプレー気流と霧化気流が前記先端収納槽内に設置された前記分流キャップを通過する時、迂回する形式で流通し、停留時間が延長し、分流均圧効果により、塗装スプレーを均一にすることを特徴とする塗装用スプレーガン。